(57)【要約】  【課題】売上げが上がるホームページ作成の支援を可能とするオンラインショッピングサイト作成支援方法の提供。  【解決手段】支援センタ装置１から販売者端末２にテンプレート教材データを送信する（ＳＴ１）一方、販売者端末２においてホームページ用のデータを生成（ＳＴ２）しホスティングサーバ３にアップロードする（ＳＴ３，ＳＴ４）ホームページ作成ステップと、支援センタ装置１から販売者端末２にＳＥＯ教材データを送信する（ＳＴ６）一方、販売者端末２においてホームページを更新する（ＳＴ７，ＳＴ８）検索エンジン上位表示ステップと、ホスティングサーバ３から販売者端末２にアクセスログを通知する（ＳＴ１０）とともに、支援センタ装置１から販売者端末２に解析条件教材データを送信する（ＳＴ１１）一方、販売者端末２においてホームページを更新する（ＳＴ１２，ＳＴ１３）アクセスログ解析ステップとを順次実施する、特徴的構成手法の採用。  【選択図】図３
2005202783.tif 000002
【特許請求の範囲】
【請求項１】
任意のクライアント端末からインターネットを介してアクセス可能なオンラインショッピングサイトを開設するにあたり、当該オンラインショッピングサイトを構成するホームページ作成用の教材を複数保持して所定の当該教材を順次送信する支援センタ装置と、当該支援センタ装置から受信した前記教材に基づき販売商品の商品情報を含む前記ホームページ用のデータを作成する販売者端末と、前記販売者端末から前記インターネットを介して受信した前記データを更新可能に保持して当該インターネット上で前記ホームページを公開するホスティングサーバとを有して構成されたネットワークシステムにおいて、前記販売者端末による前記ホームページの作成を支援するための方法であって、
前記支援センタ装置から前記販売者端末に、第１の前記教材として、所定の入力項目毎に前記ホームページ上のデザインが事前に設定されたテンプレート教材データを送信する一方、
当該販売者端末において、前記テンプレート教材データの前記所定の入力項目に対応する所望の入力データに基づき前記ホームページ用のデータを生成し、当該データを前記ホスティングサーバにアップロードするホームページ作成ステップと、
前記支援センタ装置から前記販売者端末に、第２の前記教材として、前記オンラインショッピングサイトを検索エンジンにて上位表示を可能とするための情報を有したＳＥＯ教材データを送信する一方、
当該販売者端末において、前記ＳＥＯ教材データに基づき前記ホームページを更新する検索エンジン上位表示ステップと、
前記ホスティングサーバから前記販売者端末に、前記ホームページのアクセスログを通知するとともに、
前記支援センタ装置から前記販売者端末に、第３の前記教材として、当該アクセスログが所定の条件を示したときに、当該ホームページに所定の更新を行うよう指示する情報を有した解析条件教材データを送信する一方、
当該販売者端末において、前記解析条件教材データに基づき当該ホームページを更新するアクセスログ解析ステップとを順次実施する、
ことを特徴とするオンラインショッピングサイト作成支援方法。
【請求項２】
前記オンラインショッピングサイト作成支援方法は、
前記支援センタ装置において、予め、前記教材の事前に設定された処理毎のそれぞれに対応するホームページ作成進行状況確認用チェックフォームを保持しておき、
前記販売者端末に所定の前記教材を送信するとともに、前記チェックフォームを送信する一方、
前記販売者端末において、前記教材を用いた処理を実行した毎に前記チェックフォーム内に所定の入力を行うとともに、
入力後の当該チェックフォームを前記支援センタ装置に返信し、
当該支援センタ装置において、受信した当該入力後のチェックフォームに対応した所定の前記教材を当該販売者端末に順次送信する、
ことを特徴とする請求項１に記載のオンラインショッピングサイト作成支援方法。
【請求項３】
前記ホームページ作成ステップは、
前記販売者端末において、それぞれホームページ内の所定の配置と表示色と表示フォントとが前記販売者端末から選択可能に設定された前記入力項目の、当該ホームページのターゲットユーザ毎に設定されたキャッチコピーと、前記商品情報と関連する商品関連情報と、前記商品関連情報中に掲載されて前記販売商品を撮影した画像データを含み当該ホームページのトップページとは異なるページに配置される当該販売商品の申し込みフォームと、前記商品関連情報とともに掲載された当該商品関連情報と関連する情報を掲載する他のホームページへのリンク先とを有する前記テンプレート教材データに、対応する所望の前記入力データに基づき当該ホームページ用の前記データを生成し、
当該データを前記ホスティングサーバにアップロードする、
ことを特徴とする請求項１又は２に記載のオンラインショッピングサイト作成支援方法。
【請求項４】
前記検索エンジン上位表示ステップは、
前記販売者端末において、前記検索エンジンにて過去に検索に使用された頻度の高いキーワードと、前記ホームページ用のＨＴＭＬで記述するデータの文字数全体に対するキーワードの占める割合とに関する情報を有した前記ＳＥＯ教材データを前記支援センタ端末から受信し、
当該ＳＥＯ教材データに基づき、前記ホームページを適切なキーワードを用いて更新するとともに、
当該キーワードに基づき、前記検索エンジンにて実施される検索連動型広告サービスへの登録を行う、
ことを特徴とする請求項１、２又は３に記載のオンラインショッピングサイト作成支援方法。
【請求項５】
前記アクセスログ解析ステップは、
前記販売者端末において、前記アクセスログ中の、前記ホームページへのアクセスに対して前記ホームページを構成する全ファイル毎に計測された、前記ファイルに対するアクセス数と平均閲覧時間とが、前記解析条件教材データ中の前記アクセス数と前記平均閲覧時間とに対応させてそれぞれ事前に設定された数値を下回った場合に、該当する前記ファイルを更新するための更新データを生成し、
当該更新データを前記ホスティングサーバにアップロードすることにより、前記ホームページを更新する、
ことを特徴とする請求項１、２、３又は４に記載のオンラインショッピングサイト作成支援方法。
【請求項６】
前記アクセスログ解析ステップは、
前記ホームページの所定の更新に加えて、
前記販売者端末において、前記アクセスログ中の、前記ホームページへのアクセスに対して計測されたドメイン毎の閲覧時間が、前記解析条件教材データ中の前記閲覧時間に対応させて事前に設定された数値を上回った場合に、該当する前記ドメインに基づき特定されたメールアドレス宛に前記商品情報を有する電子メールを送信する、
ことを特徴とする請求項１、２、３、４又は５に記載のオンラインショッピングサイト作成支援方法。
【請求項７】
前記オンラインショッピングサイト作成支援方法は、
前記ホームページ作成ステップにおいて、前記テンプレート教材データ中の前記入力項目の、前記ホームページにアクセスする前記クライアント端末を利用するユーザのメールアドレスの登録を要求する無料のサービス情報に対する前記入力データに基づき前記ホームページ用の前記データを生成し、前記ホスティングサーバにて公開することにより、前記ユーザのメールアドレスを収集しておき、
前記支援センタ装置から前記販売者端末に、第４の前記教材として、前記メールアドレス宛のマーケティング手法に関する情報を有したメール販売教材データを送信する一方、
当該販売者端末において、当該メール販売教材データに基づき当該メールアドレス宛に前記商品情報を有した電子メールを送信する、
ことを特徴とする請求項１、２、３、４、５又は６に記載のオンラインショッピングサイト作成支援方法。
【発明の詳細な説明】
【技術分野】
【０００１】
本発明は、オンラインショッピングサイト作成支援方法に関し、詳しくは、任意のクライアント端末からインターネットを介してアクセス可能なオンラインショッピングサイトを開設するにあたり、所定の教材を順次送信する支援センタ装置と、支援センタ装置から受信した教材に基づきホームページ用のデータを作成する販売者端末と、このホームページを公開するホスティングサーバとを有して構成されたネットワークシステムにおいて、支援センタ装置から販売者端末によるホームページの作成を支援するためのオンラインシショッピングサイト作成支援方法に係わる。
【背景技術】
【０００２】
近年、インターネットの普及により、インターネット上に仮想の店舗を開設することができるオンラインショッッピングサイトを、誰もが容易に開設することができ、また、例えば、検索エンジンを用いたキーワードによるホームページの抽出により、インターネットに接続されたクライアント端末は、容易に所望の情報を掲載するホームページにアクセスすることが可能となった。
【０００３】
ここで、販売者がインターネットを利用したオンラインショッピングサイトを開設するにあたり、インターネット上の仮想の店舗として販売商品を掲載するホームページを作成するために、オンラインショッピングサイトを立ち上げるための講習会や勉強会への参加、あるいは、個別に対応可能なコンサルティングを活用していた。
【０００４】
一方、従来のオンラインショッピングサイトは、オンラインショッピングサイトを集めたモール内にホームページを開設することにより、商品の購買意欲のあるクライアントにターゲットを絞った確実なアクセスを可能とするとともに、モールのサービスを提供、管理するする企業からのサポートを受けることが可能であった。
【０００５】
また、オンラインショッピングサイトの開設は、開設するホームページに対するアクセスのログを、例えば、ホスティングサーバ事業者によるサービスを活用することにより収集することが可能であり、アクセスログに含まれた膨大な情報をもとにホームページを適宜更新することも可能である。
【０００６】
なお、上記、オンラインショッピングサイトの開設の、特に、オンラインショッピングサイト運営の成功例の詳細については、下記の非特許文献１〜４に、オンラインショッピングサイトを集めたモール内へのホームページ開設の詳細については、下記の非特許文献５にそれぞれ記載されている。
【非特許文献１】戸田覚著，「儲かる！インターネットビジネスの始め方  図解  ９０分で即戦力！すぐわかる！すぐ使える！チャンス到来！日本版ｅビジネス」，アスキー，２０００年８月
【非特許文献２】岸本栄司著，森本繁生監修，「オンライン商人成功への道」，翔泳社，２０００年５月
【非特許文献３】岡本広夫著，「実践ｅマーケティング戦略入門  インターネット経営ビジネスモデル」，ぱる出版，２０００年７月
【非特許文献４】猪塚隆夫著，「インターネットビジネス戦略策定  勝ち組みには“成功サイクル”がある！！」，翔泳社，２０００年７月
【非特許文献５】加藤ちえ著，「Ｗｅｂショップ  出店／ホームページ作り／代金回収」，西東社，２００１年１０月
【発明の開示】
【発明が解決しようとする課題】
【０００７】
しかしながら、インターネットは急速に肥大化し、ホームページを新規に開設しても、既に存在する膨大な数のホームページの中に埋もれてしまい、情報を必要とするユーザがクライアント端末を用いてインターネットに接続し、例えば、検索エンジンを利用してキーワード検索を行っても、所望の情報を掲載するホームページを的確に抽出することは困難である。
【０００８】
そのため、多数のオンラインショッピングサイトを擁するモールにアクセスするクライアントは、ブランド名や参照数、広告規模の大きい大手のオンラインショッピングサイトにのみアクセスする結果となり、モールの大部分を構成する中小のオンラインショッピングサイトは少数の大手企業が運営するオンラインショッピングサイトの中で埋もれてしまい、売上げを伸ばすことはおろか、アクセス数を伸ばすことも容易なものではない。
【０００９】
例えば、上記非特許文献１〜４の記載にも、オンラインショッピングサイトの開設についての詳細や、運営に成功しているオンラインショッピングサイトの実例についての紹介はあるものの、売上げを上げるための具体的な指針が示されるものではなく、これから売上げの上がるオンラインショッピングサイトを開設する場合、あるいは、既存のオンラインショッピングサイトを売上げが上がる体質に更新する場合に、販売者が活用可能なものではなかった。
【００１０】
さらに、上記非特許文献５に記載のモール内にホームページを開設することは、多数のオンラインショッピングサイトが同一のトップページからリンクされた形式のモール特有の構成により、これらすべてのサイトが競合することにより売上げは下がり、特に新規に小規模で出店する場合には、他のオンラインショッピングサイトの中に埋もれてしまい、アクセス数の増加は期待できない。
【００１１】
しかも、利益を上げることが可能なサイトは、多大な広告費がかけられる大手企業により運営されるオンラインショッピンサイトのようなモール全体のうちの２％程度のみであり、他の中小企業を含む約９８％のオンラインショッピングサイトは利益を上げることができていないという現状が報告されている。
【００１２】
また、このようなオンラインショッピングサイトを開設するためには、単にコンピュータに詳しい者がホームページの作成を担当することも多く、インターネット上に開設する店舗であるにもかかわらず、インターネットの知識のみでは商品知識が不足し、販売のポイントを押さえたクライアントの興味を引くようなコンテンツ作りは困難なものであった。
【００１３】
さらに、オンラインショッピングサイトを開設するための勉強会や講習会では、個別の知識習得のレベルを確認し、実際のサイト開設にまで対応することが難しく、さらには、経営者等が自ら参加して学ぶことも多いため、他人から教えられる立場となって素直に聞き入れること自体が困難な場合も多い。
【００１４】
加えて、コンサルティングの利用では、１人のコンサルティング担当者が対応可能な販売者の人数には制限があり、販売者もコンサルティング担当者に頼りきりになる場合も多く、結局、コンサルティング担当者が販売者の一人一人に対応する時間ばかりを必要としてしまい、効率的ではない。
【００１５】
一方、ホームページのアクセスログは、膨大な情報を含むために、実際に活用するためには、実績や経験を必要とし、アクセスログに基づくホームページの更新についての研究は行われてこなかったこともあり、オンラインショッピングサイトを開設する販売者にとって、アクセスログをホームページの更新に活用するための指針を示すものはなかった。
【００１６】
ここにおいて、本発明の解決すべき主要な目的は、次のとおりである。
【００１７】
即ち、本発明の第１の目的は、営業戦略、経営戦略、集客戦略が盛り込まれたテンプレートの使用により売上げが上がるホームページの、販売者端末による容易な作成を支援することを可能とするオンラインショッピングサイト作成支援方法を提供せんとするものである。
【００１８】
本発明の第２の目的は、クライアント端末から検索エンジンを用いてアクセスする場合に、この検索エンジンの検索結果からのアクセス誘導を可能とする検索エンジン上位表示可能なホームページの作成を可能とするとともに、アクセスログを活用したホームページの更新を支援するオンラインショッピングサイト作成支援方法を提供せんとするものである。
【００１９】
本発明の第３の目的は、ホームページに掲載する販売商品に興味を持つ潜在的な購買ターゲット層のメールアドレスを収集して、メールアドレスを活用した二次的なマーケティングを展開可能なホームページの作成を支援するオンラインショッピングサイト作成支援方法を提供せんとするものである。
【００２０】
本発明の他の目的は、明細書、図面、特に、特許請求の範囲の各請求項の記載から、自ずと明らかになろう。
【課題を解決するための手段】
【００２１】
本発明方法においては、支援センタ装置から販売者端末に、第１の教材として、所定の入力項目毎にホームページ上のデザインが事前に設定されたテンプレート教材データを送信する一方、当該販売者端末において、テンプレート教材データの所定の入力項目に対応する所望の入力データに基づきホームページ用のデータを生成し、当該データをホスティングサーバにアップロードするホームページ作成ステップと、支援センタ装置から販売者端末に、第２の教材として、オンラインショッピングサイトを検索エンジンにて上位表示を可能とするための情報を有したＳＥＯ教材データを送信する一方、当該販売者端末において、ＳＥＯ教材データに基づきホームページを更新する検索エンジン上位表示ステップと、ホスティングサーバから販売者端末に、ホームページのアクセスログを通知するとともに、支援センタ装置から販売者端末に、第３の教材として、当該アクセスログが所定の条件を示したときに、当該ホームページに所定の更新を行うよう指示する情報を有した解析条件教材データを送信する一方、当該販売者端末において、解析条件教材データに基づき当該ホームページを更新するアクセスログ解析ステップとを順次実施する、特徴的構成手法を講じる。
【００２２】
さらに、具体的詳細に述べると、当該課題の解決では、本発明が次に列挙する上位概念から下位概念に亙る新規な特徴的構成手法を採用することにより、前記目的を達成するよう為される。
【００２３】
即ち、本発明方法の第１の特徴は、任意のクライアント端末からインターネットを介してアクセス可能なオンラインショッピングサイトを開設するにあたり、当該オンラインショッピングサイトを構成するホームページ作成用の教材を複数保持して所定の当該教材を順次送信する支援センタ装置と、当該支援センタ装置から受信した前記教材に基づき販売商品の商品情報を含む前記ホームページ用のデータを作成する販売者端末と、前記販売者端末から前記インターネットを介して受信した前記データを更新可能に保持して当該インターネット上で前記ホームページを公開するホスティングサーバとを有して構成されたネットワークシステムにおいて、前記販売者端末による前記ホームページの作成を支援するための方法であって、前記支援センタ装置から前記販売者端末に、第１の前記教材として、所定の入力項目毎に前記ホームページ上のデザインが事前に設定されたテンプレート教材データを送信する一方、当該販売者端末において、前記テンプレート教材データの前記所定の入力項目に対応する所望の入力データに基づき前記ホームページ用のデータを生成し、当該データを前記ホスティングサーバにアップロードするホームページ作成ステップと、前記支援センタ装置から前記販売者端末に、第２の前記教材として、前記オンラインショッピングサイトを検索エンジンにて上位表示を可能とするための情報を有したＳＥＯ教材データを送信する一方、当該販売者端末において、前記ＳＥＯ教材データに基づき前記ホームページを更新する検索エンジン上位表示ステップと、前記ホスティングサーバから前記販売者端末に、前記ホームページのアクセスログを通知するとともに、前記支援センタ装置から前記販売者端末に、第３の前記教材として、当該アクセスログが所定の条件を示したときに、当該ホームページに所定の更新を行うよう指示する情報を有した解析条件教材データを送信する一方、当該販売者端末において、前記解析条件教材データに基づき当該ホームページを更新するアクセスログ解析ステップとを順次実施してなる、オンラインショッピングサイト作成支援方法の構成採用にある。
【００２４】
本発明方法の第２の特徴は、上記本発明方法の第１の特徴における前記オンラインショッピングサイト作成支援方法を、前記支援センタ装置において、予め、前記教材の事前に設定された処理毎のそれぞれに対応するホームページ作成進行状況確認用チェックフォームを保持しておき、前記販売者端末に所定の前記教材を送信するとともに、前記チェックフォームを送信する一方、前記販売者端末において、前記教材を用いた処理を実行した毎に前記チェックフォーム内に所定の入力を行うとともに、入力後の当該チェックフォームを前記支援センタ装置に返信し、当該支援センタ装置において、受信した当該入力後のチェックフォームに対応した所定の前記教材を当該販売者端末に順次送信してなる、オンラインショッピングサイト作成支援方法の構成採用にある。
【００２５】
本発明方法の第３の特徴は、上記本発明方法の第１又は第２の特徴における前記ホームページ作成ステップを、前記販売者端末において、それぞれホームページ内の所定の配置と表示色と表示フォントとが前記販売者端末から選択可能に設定された前記入力項目の、当該ホームページのターゲットユーザ毎に設定されたキャッチコピーと、前記商品情報と関連する商品関連情報と、前記商品関連情報中に掲載されて前記販売商品を撮影した画像データを含み当該ホームページのトップページとは異なるページに配置される当該販売商品の申し込みフォームと、前記商品関連情報とともに掲載された当該商品関連情報と関連する情報を掲載する他のホームページへのリンク先とを有する前記テンプレート教材データに、対応する所望の前記入力データに基づき当該ホームページ用の前記データを生成し、当該データを前記ホスティングサーバにアップロードしてなる、オンラインショッピングサイト作成支援方法の構成採用にある。
【００２６】
本発明方法の第４の特徴は、上記本発明方法の第１、第２又は第３の特徴における前記検索エンジン上位表示ステップを、前記販売者端末において、前記検索エンジンにて過去に検索に使用された頻度の高いキーワードと、前記ホームページ用のＨＴＭＬで記述するデータの文字数全体に対するキーワードの占める割合とに関する情報を有した前記ＳＥＯ教材データを前記支援センタ端末から受信し、当該ＳＥＯ教材データに基づき、前記ホームページを適切なキーワードを用いて更新するとともに、当該キーワードに基づき、前記検索エンジンにて実施される検索連動型広告サービスへの登録を行ってなる、オンラインショッピングサイト作成支援方法の構成採用にある。
【００２７】
本発明方法の第５の特徴は、上記本発明方法の第１、第２、第３又は第４の特徴における前記アクセスログ解析ステップを、前記販売者端末において、前記アクセスログ中の、前記ホームページへのアクセスに対して前記ホームページを構成する全ファイル毎に計測された、前記ファイルに対するアクセス数と平均閲覧時間とが、前記解析条件教材データ中の前記アクセス数と前記平均閲覧時間とに対応させてそれぞれ事前に設定された数値を下回った場合に、該当する前記ファイルを更新するための更新データを生成し、当該更新データを前記ホスティングサーバにアップロードすることにより、前記ホームページを更新してなる、オンラインショッピングサイト作成支援方法の構成採用にある。
【００２８】
本発明方法の第６の特徴は、上記本発明方法の第１、第２、第３、第４又は第５の特徴における前記アクセスログ解析ステップを、前記ホームページの所定の更新に加えて、前記販売者端末において、前記アクセスログ中の、前記ホームページへのアクセスに対して計測されたドメイン毎の閲覧時間が、前記解析条件教材データ中の前記閲覧時間に対応させて事前に設定された数値を上回った場合に、該当する前記ドメインに基づき特定されたメールアドレス宛に前記商品情報を有する電子メールを送信してなる、オンラインショッピングサイト作成支援方法の構成採用にある。
【００２９】
本発明方法の第７の特徴は、上記本発明方法の第１、第２、第３、第４、第５又は第６の特徴における前記オンラインショッピングサイト作成支援方法を、前記ホームページ作成ステップにおいて、前記テンプレート教材データ中の前記入力項目の、前記ホームページにアクセスする前記クライアント端末を利用するユーザのメールアドレスの登録を要求する無料のサービス情報に対する前記入力データに基づき前記ホームページ用の前記データを生成し、前記ホスティングサーバにて公開することにより、前記ユーザのメールアドレスを収集しておき、前記支援センタ装置から前記販売者端末に、第４の前記教材として、前記メールアドレス宛のマーケティング手法に関する情報を有したメール販売教材データを送信する一方、当該販売者端末において、当該メール販売教材データに基づき当該メールアドレス宛に前記商品情報を有した電子メールを送信してなる、オンラインショッピングサイト作成支援方法の構成採用にある。
【発明の効果】
【００３０】
本発明によれば、予めホームページ上の表示デザインや、公開すべき項目が設定されたテンプレートを用いるとともに、検索エンジン上位表示可能なホームページ用のデータを生成可能とすることにより、開設当初よりクライアントの目を引き、ホームページ上に掲載する販売商品に対し潜在的に興味を持つ者のクライアント端末からのアクセスを期待可能な営業上効果的なオンラインショッピングサイトの作成を支援することが可能となる。
【００３１】
これにより、販売者は、販売者端末を用いて、例えば、販売者の理解の程度やホームページ作成進行状況に応じたチェックフォームの送受信に対応した教材を受信することができ、オンラインショッピングサイトの開設、運営に必要な技術と、オンラインショッピングサイトによる売上げを上げるためのノウハウについて、販売者のペースで容易かつ確実に身につけることができる。
【００３２】
また、開設したオンラインショッピングサイトのアクセスログを活用したホームページの更新処理を支援することにより、販売者端末は、作成したホームページからターゲット層に好まれる又は好まれない情報を抽出して、ホームページ上に掲載する情報をターゲット層の興味を引くものに随時更新することが可能となり、オンラインショッピングサイトの集客効果が期待できるとともに、アクセスログ中から、ホームページにアクセスするクライアント端末に設定されたドメインを収集することで、二次的、三次的なマーケティング展開が可能となる。
【００３３】
さらに、ホームページの作成に、販売者が無料で提供可能なサービスの提供をホームページ上で受付けて、この受付けにメールアドレスを含む個人情報の登録を必要するフォームを作成可能なテンプレート教材データを使用することにより、ホームページに掲載する販売商品に対して潜在的に興味を持つターゲット層を的確に抽出して、ホームページ上に掲載の販売商品のみならず、収集したメールアドレスを活用した効果的なマーケティングを支援することが可能となる。
【発明を実施するための最良の形態】
【００３４】
以下、本発明の実施の形態につき、添付図面を参照しつつ、マーケティング上最適なホームページの作成を支援するためのオンラインショッピングサイト作成支援方法を適用する適用システム例と、これに対応する方法例を順に挙げて説明する。
【００３５】
（適用システム例）
まず初めに、図１は、本発明の方法例に係るオンラインショッピングサイト作成支援方法に適用されるネットワークシステム構成を示す図である。
【００３６】
同図に示すように、本方法例に係るオンラインショッピングサイト作成支援方法は、例えば、オンラインショッピングサイトを構成するホームページ作成用の教材を複数保持して所定の教材を順次送信する支援センタ装置１と、支援センタ装置１から教材を受信して、この教材に基づき販売商品の商品情報を含むホームページ用のデータを作成する販売者端末２と、販売者端末２からインターネットＮを介して受信したデータを更新可能に保持してインターネットＮ上でクライアント端末４ａ，４ｂ，４ｃ，…からアクセス可能にホームページを公開するホスティングサーバ３とを有して構成されたネットワークシステムに適用されるものとする。
【００３７】
ここで、支援センタ装置１は、第１の教材として、所定の入力項目毎に販売者端末２にて作成するホームページ上のデザインについて、例えば、販売業種別に消費者に好まれるものとして事前に設定されたテンプレート教材データを複数蓄積するテンプレート教材データ蓄積部１１と、第２の教材として、オンラインショッピングサイトを検索エンジンにて上位表示を可能とするためのＳＥＯ教材データ（ＳＥＯ：Search Engine Optimization）を蓄積するＳＥＯ教材データ蓄積部１２とを有する。
【００３８】
このＳＥＯ教材データ蓄積部１２が蓄積する第２の教材であるＳＥＯ教材データは、例えば、支援センタ装置１にて事前に収集蓄積した、検索エンジンにてホームページの検索に使用された頻度の高いキーワードと、事前に設定されたＨＴＭＬ（Hyper Text Markup Language）等で記述されたホームページ用のデータの文字数全体に対するキーワードの占める割合等に関する情報を有するとよい。
【００３９】
加えて、支援センタ装置１は、第３の教材として、ホスティングサーバ３にて収集したアクセスログが所定の条件を示したときに、ホームページに所定の更新を行うよう指示する情報を有した解析条件教材データを蓄積する解析条件教材データ蓄積部１３を有する。
【００４０】
この、解析条件教材データ蓄積部１３にて蓄積する解析条件教材データは、例えば、アクセスログ中のホームページへのアクセスに対してホームページを構成する全ファイル毎に計測された、各ファイルに対するアクセス数に対応させて事前に設定された数値や、各ファイルの平均閲覧時間に対応させて事前に設定された数値等を有して、これらの数値をそれぞれ下回った場合に該当するホームページのファイルの更新データの生成を指示するものがある。
【００４１】
さらに、解析条件教材データ中に、例えば、アクセスログ中のホームページへのアクセスに対して計測されたドメイン毎の閲覧時間に対応させて事前に設定された数値等を有してもよく、このとき、ドメイン毎の閲覧時間が解析条件教材データ中に事前に設定された数値を上回った場合に、該当するドメインに基づき特定された、例えば、企業等のメールアドレス宛に商品情報を有した電子メールを送信するよう指示するようにするとよい。
【００４２】
また、解析条件教材データは、例えば、アクセスログ中の、ホームページを構成する全ファイル毎に計測された各検索エンジンからのヒット数と、クライアント端末４ａ，４ｂ，４ｃ，…がホームページにアクセスするにあたり使用した各検索エンジンの利用数と、検索エンジンにてホームページにアクセスするためにクライアント端末４ａ，４ｂ，４ｃ，…が使用した検索キーワードとに基づき、ホームページ用のデータを記述するＨＴＭＬの文字列等を更新するよう指示するよう設定されてもよい。
【００４３】
さらに、支援センタ装置１に、第１の教材として、ホームページにクライアント端末４ａ，４ｂ，４ｃ，…を利用するユーザのメールアドレスの登録を要求する無料のサービス情報を掲載するテンプレート教材データを蓄積したときには、支援センタ装置１は、第４の教材として、ホームページを介して登録されたメールアドレス宛に販売者により任意に生成された販売情報を有したメールを送信する等の二次的なマーケティングに関する情報を有したメール販売教材データを蓄積するメール販売教材データ蓄積部１４を有しても構わない。
【００４４】
なお、テンプレート教材データ蓄積部１１、ＳＥＯ教材データ蓄積部１２、解析条件教材データ蓄積部１３及びメール販売教材データ蓄積部１４は、販売者端末２へ送信する各教材をそれぞれ事前に設定された所定の章毎に分割して、適宜所要の分割された教材を各章毎に送信可能に機能構成されるとよい。
【００４５】
このとき、支援センタ装置１は、予め、支援センタ装置１内に教材として蓄積する、例えば、第１、第２、第３、第４の各教材の事前に設定された章毎のそれぞれに対応するホームページ作成進行状況確認用のチェックフォームを保持し、支援センタ装置１から分割された各教材を販売者端末２に送信する際に、併せて対応するチェックフォームを販売者端末２に送信し、販売者端末２からのチェックフォームの返信を受信するチェックフォーム送受信部１５を具備するとよい。
【００４６】
このチェックフォーム送受信部１５は、販売者端末２から受信したチェックフォームの入力データに対応した教材の要求を、それぞれの教材を蓄積するテンプレート教材データ蓄積部１１、ＳＥＯ教材データ蓄積部１２、解析条件教材データ蓄積部１３又はメール販売教材データ蓄積部１４に通知して、対応する教材を販売者端末２に送信可能に機能構成される。
【００４７】
一方、販売者端末２は、支援センタ装置１と、例えば、コンピュータの基本的機能を具備して、インターネットＮ上の任意の領域に配置されたＰＣ（Personal Computer）等により構成されて、支援センタ装置１から受信したテンプレート教材データに、例えば、販売者端末２を利用する販売者が販売者端末２に入力したデータである入力データを受け付けて、テンプレート教材データの所定の入力項目毎に対応する入力データに基づきＨＴＭＬ等で記述したホームページ用のデータを生成し、生成したデータをホスティングサーバ３にアップロードするホームページ作成部２１を具備する。
【００４８】
また、販売者端末２は、支援センタ装置１から受信したＳＥＯ教材データに基づきホームページの更新データを生成して、ホームページ作成部２１に出力することにより検索エンジン上位表示を可能とする検索エンジン上位表示処理部２２と、支援センタ装置１から解析条件教材データを受信して、この解析条件教材データとホスティングサーバ３から受信したホームページのアクセスログとに基づきホームページの更新データを生成してホームページ作成部２１に出力するアクセスログ解析部２３を具備する。
【００４９】
したがって、ホームページ作成部２１は、検索エンジン上位表示処理部２２又はアクセスログ解析部２３から入力した、それぞれ第２又は第３の教材に基づき生成されたホームページ用の更新データを、ホスティングサーバにアップロードすることにより、ホームページの更新が可能に構成され、さらに、検索エンジン上位表示処理部２２は、ＳＥＯ教材データに基づき決定されたキーワードを基に、検索エンジンにて実施される検索連動型広告サービスへホームページを登録可能に機能構成されてもよい。
【００５０】
さらに、販売者端末２は、ホームページ作成部１にてテンプレート教材データ中の入力項目の、ホームページにアクセスするクライアント端末４ａ，４ｂ，４ｃ，…を利用するユーザのメールアドレスを含む個人情報の登録を要求する無料のサービス情報に対する入力データに基づきホームページ用のデータを生成したときには、ホスティングサーバ３から無料のサービス情報の登録に用いられたメールアドレスを受信し、支援センタ装置１から受信したメール販売教材データに基づきこのメールアドレス宛に商品情報等の内容を有した電子メールを送信する電子メール送信部２４を具備しても構わない。
【００５１】
この電子メール送信部２４からインターネットＮを介して送信された電子メールは、電子メールの宛先に設定されたメールアドレスを利用するユーザが利用するインターネットＮに接続された任意のクライアント端末４ａ，４ｂ，４ｃ，…で受信可することができる。
【００５２】
この無料のサービス情報を通じて収集したメールアドレスのユーザは、ホームページに掲載した販売商品の関連情報に何らかの興味を持つことが予想され、このようなユーザに的を絞って商品情報等の電子メールを送信することにより、潜在的に販売商品に関心のあるターゲット層に対して確実なマーケティングを展開することが可能なホームページの作成を支援することが出来る。
【００５３】
加えて、販売者端末２は、支援センタ装置１から、教材を受信する毎にこの教材毎に対応するチェックフォームを受信して、例えば、教材に対応する処理をホームページ作成部２１あるいはメール送信部２４にて実施した後に、販売者端末２を利用する販売者等から教材に対応するチェックフォーム中の事前に設定された所定のチェック項目に対する入力を受け付けて、この販売者からの入力に基づきチェックフォーム内に所定の入力を行い、入力後のチェックフォームを支援センタ装置１に返信するチェックフォーム処理部２５を具備するとよい。
【００５４】
他方、ホスティングサーバ３は、販売者端末２からアップロードされたホームページ用のデータを受信し、例えば、このホームページの管理者権限を有した販売者端末２により更新可能にデータを保持して、インターネットＮを介して任意のクライアント端末４ａ，４ｂ，４ｃ，…からのアクセスに対してホームページを公開するホームページ公開部３１と、このホームページに対するアクセスログを収集して販売者端末２に通知するアクセスログデータベース３２とを具備する。
【００５５】
ここで、アクセスログデータベース３２から販売者端末２に通知するホームページのアクセスログは、例えば、クライアント端末４ａ，４ｂ，４ｃ，…からのホームページへのアクセスに対してホームページを構成する全ファイル毎に計測された、各ファイルに対するアクセス数と、各ファイルのクライアント端末４ａ，４ｂ，４ｃ，…からのアクセス数とを用いて計測されたこのホームページへのアクセス開始から他のページにアクセスするまでの時間を示す平均閲覧時間とを有するとよい。
【００５６】
また、このアクセスログは、例えば、ホームページを構成する全ファイル毎に計測された検索エンジンからのヒット数と、クライアント端末４ａ，４ｂ，４ｃ，…がこのホームページを抽出するために使用した検索エンジン毎の利用数と、この検索エンジンにてホームページにアクセスするためにクライアント端末４ａ，４ｂ，４ｃ，…から検索エンジンに通知した検索キーワードとを有するものであっても構わない。
【００５７】
さらに、アクセスログは、例えば、ホームページへのアクセスに対して計測されたドメイン毎の閲覧時間を有するものであっても構わない。
【００５８】
また、ホスティングサーバ３は、ホームページ上の販売商品の注文の受け付けや、メールアドレス、問い合わせ等のホームページ上の所定のフォームに基づき、クライアント端末４ａ，４ｂ，４ｃ，…から送信されたデータを格納して販売者端末２の、例えば、電子メール送受信部２４等に通知する顧客情報データベース３３を具備するとよい。
【００５９】
次に、図２は、図１に示した販売者端末にてデータの入力に利用されるテンプレート教材データの一例を示す図である。
【００６０】
同図に示すように、第１の教材として販売者端末２にてホームページの作成に利用されるテンプレート教材データＡは、ホームページのターゲットユーザ毎に決定されたキャッチコピーの入力を受け付けるキャッチコピー入力部Ａ１と、キャッチコピーを補足するキャッチコピー補足文の入力を受け付けるキャッチコピー補足文入力部Ａ２と、商品情報と関連する商品関連情報の入力を受け付ける商品関連情報入力部Ａ３１〜Ａ３５とをデータとして含む。
【００６１】
さらに、テンプレート教材データＡは、商品関連情報中に掲載されて販売商品を撮影した画像データを含みこのホームページのトップページとは異なる図示しないページに配置される販売商品の申し込みフォームへのリンク部Ａ４と、商品関連情報とともに掲載された商品関連情報と関連する情報を掲載する他のホームページへのリンク先の入力を受け付けるリンク先入力部Ａ５とを有して構成されるとよい。
【００６２】
加えて、ホームページにアクセスしたクライアント端末４ａ，４ｂ，４ｃ，…から、クライアント端末４ａ，４ｂ，４ｃ，…を利用するユーザのメールアドレス等の個人情報の登録により、販売者からこのユーザに対して無料で実施可能なサービスの情報と個人情報の入力フォームを有した無料のサービス情報の入力を受け付ける無料のサービス情報入力部Ａ６を有しても構わない。
【００６３】
また、テンプレート教材データＡは、所定の入力項目毎にホームページ上のデザインの、例えば、それぞれホームページ内の所定の配置、表示色、表示フォント等について、販売者端末２から選択可能に事前に複数設定されるとよい。
【００６４】
（方法例）
続いて、本発明のオンラインショッピングサイト作成支援方法の具体例を、以上のように構築された適用システムの動作の態様に即して説明する。
【００６５】
まず、図３は、本発明の方法例に係るオンラインショッピングサイト作成支援方法を説明するためのシーケンス図である。
【００６６】
同図に示すように、この方法例に係るオンラインショッピングサイト作成支援方法は、まず、ホームページ作成ステップとして、上述した支援センタ装置１が、販売者端末２に向けて、第１の教材として、例えば、テンプレート教材データ蓄積部１１からテンプレート教材データＡを販売者端末２のホームページ作成部２１に送信する（ＳＴ１）。
【００６７】
一方、販売者端末２のホームページ作成部２１は、テンプレート教材データＡに設定された所定の入力項目に対応する所望の入力データに基づきホームページ用のデータを生成し（ＳＴ２）、このデータをホスティングサーバ３の、例えば、ホームページ公開部３１にアップロードする（ＳＴ３）ことにより、ホスティングサーバ３でインターネットＮ上の任意の領域に配置されたクライアント端末４ａ，４ｂ，４ｃ，…からアクセス可能にホームページの公開を行う（ＳＴ４）。
【００６８】
次に、検索エンジン上位表示ステップとして、支援センタ装置１から販売者端末２に、第２の教材として、クライアント端末４ａ，４ｂ，４ｃ，…から検索エンジンを用いて検索した場合のこの検索エンジンにて上位に表示するための情報を有したＳＥＯ教材データを送信する（ＳＴ６）。
【００６９】
一方、販売者端末２において、ＳＥＯ教材データに基づきホームページを更新する更新データを生成してホスティングサーバ３にアップロードし（ＳＴ７）、他方、ホスティングサーバ３は、ＳＴ７の更新データにより、公開するホームページ用のデータを更新する（ＳＴ８）。
【００７０】
続いて、アクセスログ解析ステップとして、ホスティングサーバ３において、ホームページに対するアクセスを監視し、ホームページのアクセスログを収集して販売者端末２に通知する（ＳＴ１０）とともに、支援センタ装置１から販売者端末２に、第３の教材として、アクセスログが所定の条件を示したときに、ホームページに所定の更新を行うよう指示する情報を有した解析条件教材データを送信する（ＳＴ１１）。
【００７１】
一方、販売者端末２において、解析条件教材データに基づきホームページの更新データを生成しホスティングサーバ３にアップロードして（ＳＴ１２）、ホスティングサーバ３にて、更新データを用いてホームページの内容を更新する（ＳＴ１３）。
【００７２】
ここで、例えば、ＳＴ１、ＳＴ６あるいはＳＴ１１に示すように、支援センタ装置１にて、予め、教材の事前に設定された処理毎のそれぞれに対応するホームページ作成進行状況確認用チェックフォームを保持し、対応する教材毎にそれぞれの教材とともに販売者端末２に送信したときには、販売者端末２においてそれぞれの教材に対応した処理を実施した後に、販売者端末２にて、例えば、チェックフォーム内の事前に設定された所定の入力を行った後に、入力後のチェックフォームを支援センタ装置１に返信する（ＳＴ５，ＳＴ９，ＳＴ１４）ようにするとよい。
【００７３】
なお、チェックフォームは、例えば、第１、第２及び第３の各教材に対して、事前に設定された章毎にそれぞれ複数保持するとよく、支援センタ装置１から、第１、第２及び第３の教材の各章毎に分割した任意の数の教材を販売者端末２に送信したときには、販売者端末２から分割された教材毎に順次複数回の対応するチェックフォームの返信を受ける。
【００７４】
これにより、例えば、販売者端末２にて、支援センタ装置１から送信された教材に基づき実施した処理が失敗した場合に、どの過程で失敗があったのかを明確にすることが出来るとともに、支援センタ装置１から、失敗の原因についてさらに詳細なサポートを実施する等の販売者端末２のホームページ作成における進行状況に合致した教材を提供することが可能となり、販売者端末２におけるホームページの作成を段階的にポイントを押さえて確実に支援することができる。
【００７５】
また、ＳＴ１〜ＳＴ５に示したホームページ作成ステップの、例えば、販売者端末２におけるＳＴ２のテンプレート教材データＡを用いたホームページ用データの生成は、テンプレート教材データＡとして事前に設定された、ホームページ内の所定の配置と表示色と表示フォントとから、販売者端末２を利用する販売者から入力された信号を受け付けてそれぞれ決定するとよい。
【００７６】
このとき、さらにテンプレート教材データＡに設定された入力項目の、例えば、オンラインショッピングサイトのターゲットとするユーザ毎に決定されたキャッチコピー入力部Ａ１と、ホームページに掲載する商品情報と関連する商品関連情報入力部Ａ３１，Ａ３２，Ａ３３，Ａ３４，Ａ３５と、商品関連情報中に掲載されて販売商品を撮影した画像データを含みホームページのトップページとは異なるページに配置される販売商品の申し込みフォームへのリンクを含む商品関連情報入力部Ａ５と、商品関連情報とともに掲載された当該商品関連情報と関連する情報を掲載する他のホームページへのリンクを含む商品関連情報入力部Ａ４とに対して、販売者の入力した所望の入力データに基づきホームページ用のデータを生成するとよい。
【００７７】
なお、販売者端末２は、ＳＴ２によりテンプレート教材データＡ中の入力項目それぞれに対応する入力データに基づき生成したホームページ用のデータを、続く、ＳＴ３にて、販売者端末２からホスティングサーバ３にアップロードするとともに、所定の登録が必要な検索エンジンに対して、各検索エンジンにて設定された所定の手続きによりこのホームページを各検索エンジンに登録するものとする。
【００７８】
続いて、ＳＴ６〜ＳＴ９に示した検索エンジン上位表示ステップは、ＳＴ６にて、例えば、検索エンジンにて過去にホームページの検索に使用された頻度の高いキーワードと、ホームページ用のＨＴＭＬで記述するデータの全体文字数に対するキーワードの占める割合等に関する情報を有したＳＥＯ教材データを支援センタ装置１から販売者端末２に送信する。
【００７９】
これにより、販売者端末２は、ＳＴ７にて、このＳＥＯ教材データに基づき、キーワードを用いたホームページ用のデータを検索エンジンにてより上位に表示させるものに更新することができ、さらに、ここで、検索エンジンにてキーワード検索とともに提供されるサービスである、例えば、「Google」の提供する「アドワーズ・セレクト広告」や、「Overture」の提供する「スポンサード・サーチ」等の検索連動型広告サービスに、ＳＥＯ教材データに則したキーワードに基づき登録を行う（ＳＴ７ａ）ようにするとよい。
【００８０】
さらに、販売者端末２は、アクセスログ中のホームページを構成する全ファイル毎に計測された検索エンジンからのヒット数と、クライアント端末４ａ，４ｂ，４ｃ，…がホームページにアクセスするにあたり使用した各検索エンジンの利用数とを用いて、ＳＴ７ａに示した検索連動型広告サービスへの登録を、クライアント端末４ａ，４ｂ，４ｃ，…が最も利用する検索エンジンに対してのみ登録するようにすることもできる。
【００８１】
次に、図４は、図３に示したアクセスログ解析ステップにおける更新データのアップロードを説明するためのフローチャートである。
【００８２】
同図にしめすように、ＳＴ１０〜ＳＴ１４に示したアクセスログ解析ステップは、ＳＴ１２において、アクセスログ中の、クライアント端末４ａ，４ｂ，４ｃ，…からのホームページへのアクセスに対してホームページを構成する全ファイル毎に計測された、ファイルに対するアクセス数と、各ファイルの平均閲覧時間とを、それぞれ解析条件教材データに示された数値と比較する（ＳＴａ１）。
【００８３】
ここで、アクセスログ中のアクセス数と平均閲覧時間とがそれぞれ解析条件教材データ中に事前に設定された数値を下回ったときには、該当するファイルの更新データを生成して（ＳＴａ２）、この更新データを販売者端末２からホスティングサーバ３に送信する（ＳＴａ３）ことにより、ＳＴ１２に示した更新データのアップロードを行うとよい。
【００８４】
これにより、販売者端末２は、ＳＴ１２において、この解析条件教材データに基づき、クライアント端末４ａ，４ｂ，４ｃ，…からの閲覧時間が短い、即ち、クライアント端末４ａ，４ｂ，４ｃ，…を利用するユーザの興味を引かないファイルを特定することが可能となり、ホームページのコンテンツをユーザの興味の引くものへと随時更新することが可能となる。
【００８５】
さらに、図５は、図３に示したアクセスログ解析ステップにおけるアクセスログ中のドメイン毎の閲覧時間を利用する一例を説明するためのフローチャートである。
【００８６】
同図に示すように、アクセスログ解析ステップは、販売者端末２のＳＴ１２の更新データのアップロードとともに、アクセスログ中のホームページへのアクセスに対して計測されたドメイン毎の閲覧時間が、解析条件教材データ中の閲覧時間に対応させて事前に設定された数値を上回ったかどうかを判定して（ＳＴｂ１）、閲覧時間が解析条件教材データ中の設定数値を上回ったときには、該当するドメインに基づき特定されたメールアドレス宛に商品情報を有する電子メールを送信する（ＳＴｂ２）。
【００８７】
これにより、例えば、ドメインに対応する企業を特定して、企業間取引を対象とした二次的なマーケティングを行うことが可能なホームページ作成の支援が可能となる。
【００８８】
次に、図６は、本発明の方法例に係るオンラインショッピングサイト作成支援方法に係るメールアドレスを利用したマーケティング展開の一例を説明するためのシーケンス図である。
【００８９】
図３に示したＳＴ１〜ＳＴ５のホームページ作成ステップにおいて、ホームページにアクセスするクライアント端末４ａ，４ｂ，４ｃ，…を利用するユーザのメールアドレスの登録を要求する無料のサービス情報入力部Ａ６を有するテンプレート教材データＡを採用して、販売者端末２において、販売者の入力した無料のサービスに関する所望の入力データに基づきホームページ用のデータを生成することもできる。
【００９０】
このとき、図６に示すように、ホスティングサーバ３は、ホームページ上の無料のサービス情報中の所定の登録フォームを介して登録されたクライアント端末４ａ，４ｂ，４ｃ，…を利用するユーザのメールアドレスを含む個人情報を販売者端末２に通知して（ＳＴ２１）、販売者端末２にて、ホームページに掲載した販売者のサービスに興味を持つクライアント端末４ａ，４ｂ，４ｃ，…のユーザが使用するメールアドレスを収集する（ＳＴ２２）ことができる。
【００９１】
続いて、支援センタ端末１から販売者端末２に、第４の教材として、メールアドレス宛のマーケティング手法に関する情報を有したメール販売教材データを送信する（ＳＴ２３）一方、販売者端末２において、このメール販売教材データに基づきメールアドレス宛に商品情報を有した電子メールをインターネットＮを介して送信する（ＳＴ２４）。
【００９２】
このとき、ＳＴ２３は、図３に示したＳＴ１、ＳＴ６及びＳＴ１１と同様に、対応するチェックフォームをともに送信するようにした場合、例えば、ＳＴ２４の実施の後に、販売者端末２から支援センタ装置１に、所要の入力を行ったチェックフォームを返信する（ＳＴ２５）ようにするとよい。
【００９３】
これにより、販売者端末２は、ホームページにアクセスしたクライアント端末４ａ，４ｂ，４ｃ，…からのホームページ上に掲載した申し込みフォームへの入力による販売商品の注文のみならず、販売商品の関連情報に興味を持つ潜在的な販売商品のターゲット層に的を絞った二次的なマーケティング展開が可能なホームページを作成可能となる。
【００９４】
なお、販売商品の申し込みフォーム（図示しない）についてもテンプレート教材データＡとは異なる他のテンプレート教材データ（図示しない）を利用して、販売者の入力した所望の入力データに基づき、例えば、商品を撮影した画像データ等を含むホームページ用のデータを生成可能なこと作成可能なことは言うまでもない。
【００９５】
以上、本発明の実施形態につき、その適用システム例及びこれに対応する方法例を挙げて説明したが、本発明は、必ずしも上述した手法にのみ限定されるものではなく、前述の効果を有する範囲内において、随時、変更実施することが可能なものである。
【００９６】
例えば、販売者端末２に、各ターゲット層別のキャッチフレーズを採用したそれぞれの各ターゲット層毎の入り口となるリンクを有したトップページを作成させて、それぞれの入り口毎にアクセスログを収集した場合のアクセス数や平均閲覧時間に関する解析条件教材データを提供することにより、ホームページのターゲット層を、このホームページに最適なものとすることが可能となる。
【００９７】
また、支援センタ装置１の保持するホームページ作成用の教材を、支援センタ装置１からインターネットＮを介して販売者端末２に送信するものとして説明したが、この教材が記録媒体に記録したものであった場合、販売者端末２に直接提供して、販売者端末２にて教材が記録された記録媒体を読み取りインターネットＮを介さずに実行させることが可能となる。
【図面の簡単な説明】
【００９８】
【図１】本発明の方法例に係るオンラインショッピングサイト作成支援方法に適用されるネットワークシステム構成を示す図である。
【図２】同上した販売者端末にてデータの入力に利用されるテンプレート教材データの一例を示す図である。
【図３】本発明の方法例に係るオンラインショッピングサイト作成支援方法を説明するためのシーケンス図である。
【図４】同上したアクセスログ解析ステップにおける更新データのアップロードを説明するためのフローチャートである。
【図５】同上したアクセスログ解析ステップにおけるアクセスログ中のドメイン毎の閲覧時間を利用する一例を説明するためのフローチャートである。
【図６】同上したオンラインショッピングサイト作成支援方法に係るメールアドレスを利用したマーケティング展開の一例を説明するためのシーケンス図である。
【符号の説明】
【００９９】
Ｎ…インターネット
１…支援センタ装置
１１…テンプレート教材データ蓄積部
１２…ＳＥＯ教材データ蓄積部
１３…解析条件教材データ蓄積部
１４…メール販売教材データ蓄積部
１５…チェックフォーム送受信部
２…販売者端末
２１…ホームページ作成部
２２…検索エンジン上位表示処理部
２３…アクセスログ解析部
２４…電子メール送信部
２５…チェックフォーム処理部
３…ホスティングサーバ
３１…ホームページ公開部
３２…アクセスログデータベース
３３…顧客情報データベース
４ａ，４ｂ，４ｃ…クライアント端末
Ａ…テンプレート教材データ
Ａ１…キャッチコピー入力部
Ａ２…キャッチコピー補足文入力部
Ａ３１，Ａ３２，Ａ３３，Ａ３４，Ａ３５…商品関連情報入力部
Ａ４…商品関連情報を掲載する他のホームページへのリンクを含む商品関連情報入力部
Ａ５…商品申し込みフォームへのリンクを含む商品関連情報入力部
Ａ６…無料のサービス情報入力部
【図１】
2005202783.tif 000003
【図２】
2005202783.tif 000004
【図３】
2005202783.tif 000005
【図４】
2005202783.tif 000006
【図５】
2005202783.tif 000007
【図６】
2005202783.tif 000008